(57)【要約】【課題】配線が増大しても複雑な分岐、結合を実現し、操作が容易なジョイントボックスを得る。【解決手段】 合成樹脂製の筐体１の側面には、例えば３個の接続用コネクタ２と１個の回路チェック用コネクタ３が固定されている。コネクタ２はそれぞれ多数の例えば雄型接続端子を内蔵しており、筐体１内において雄型接続端子同士に電線が接続され、コネクタ２同士間或いは同一コネクタ２の雄型接続端子同士が電線により短絡されている。各コネクタ２には相手側コネクタ６が嵌合するようにされ、この相手側コネクタ６には電線７を接続した例えば雌型接続端子が内蔵され、コネクタ２、６同士の嵌合がなされると、それぞれに内蔵する接続端子同士が連結し、電気的な接続がなされる。【選択図】図２
2007179931.tif 000002
【特許請求の範囲】
【請求項１】
筐体の表面に接続端子を内蔵した複数の第１のコネクタを相手側の第２のコネクタに対する嵌合部を外側に向けて固定し、前記筐体内において前記第１のコネクタに内蔵した接続端子同士を電線により接続し、外部電線を接続した接続端子を内蔵した複数の前記第２のコネクタを前記第１のコネクタにそれぞれ嵌合し、前記第１のコネクタと前記第２のコネクタの接続端子同士を接続することを特徴とするジョイントボックス。
【請求項２】
前記筐体表面に回路チェック用コネクタを固定し、該回路チェック用コネクタに内蔵した接続端子を前記第１のコネクタに内蔵の接続端子と電線により接続したことを特徴とする請求項１に記載のジョイントボックス。
【請求項３】
前記第２のコネクタの後方に前記外部電線を囲み、内部を防水構造とした筒状プロテクタを取り付けたことを特徴とする請求項１に記載のジョイントボックス。
【請求項４】
前記第２のコネクタ、筒状プロテクタの周囲を保護カバーにより覆うようにしたことを特徴とする請求項３に記載のジョイントボックス。
【発明の詳細な説明】
【技術分野】
【０００１】
本発明は、多岐多様で複雑な電気回路の接続に使用されるジョイントボックスに関するものである。
【背景技術】
【０００２】
自動車のハーネス回路等に使用するジョイントコネクタは、例えば特許文献１のように少数の母線から多数の子線を分岐・接続することができ、かつワンタッチで多数の接続端子間の接続を一挙に達成できるものが知られている。
【０００３】
【特許文献１】特開平８−３２１３６６号公報
【発明の開示】
【発明が解決しようとする課題】
【０００４】
しかし上述の従来技術を用いても、近年の自動車の電気回路の高度化に伴う配線数の増大に対応することは困難となりつつある。
【０００５】
本発明の目的は、上述の課題を解消し、配線が増大しても複雑な分岐、結合を実現すると共に、操作が容易なジョイントボックスを提供することにある。
【課題を解決するための手段】
【０００６】
上述の目的を達成するための本発明に係るジョイントボックスの技術的特徴は、筐体の表面に接続端子を内蔵した複数の第１のコネクタを相手側の第２のコネクタに対する嵌合部を外側に向けて固定し、前記筐体内において前記第１のコネクタに内蔵した接続端子同士を電線により接続し、外部電線を接続した接続端子を内蔵した複数の前記第２のコネクタを前記第１のコネクタにそれぞれ嵌合し、前記第１のコネクタと前記第２のコネクタの接続端子同士を接続することにある。
【発明の効果】
【０００７】
本発明に係るジョイントボックスによれば、複雑な回路の分岐、接続を複数のコネクタを用いてワンタッチで実現できる。
【発明を実施するための最良の形態】
【０００８】
本発明を図示の実施例に基づいて詳細に説明する。
図１は組立状態の斜視図、図２は分解斜視図、図３は筐体の斜視図である。合成樹脂又は金属製の筐体１の側面に設けた孔部１ａには、例えば３個の接続用コネクタ２と１個の回路チェック用コネクタ３が防水シール部材４を介して固定されている。また、筐体１の孔部１ａの周囲には、後述する保護カバーを固定するための枠部１ｂが設けられており、筐体１は例えば底部に蓋を設けて開放できるようにされている。
【０００９】
コネクタ２はそれぞれ多数の図示しない例えば雄型接続端子を内蔵しており、図４に示すように筐体１内において、雄型接続端子に電線５が接続され、コネクタ２同士間或いは同一コネクタ２の雄型接続端子同士が電線５により短絡されている。チェック用コネクタ３は回路検査チェック用であり、コネクタ２と同様に雄型接続端子を内蔵しており、これらの雄型接続端子は各コネクタ２の回路検査に必要な雄型接続端子と電線５を介して接続されている。
【００１０】
各コネクタ２には相手側コネクタ６が嵌合するようにされ、この相手側コネクタ６には電線７を接続した図示しない例えば雌型接続端子が内蔵され、コネクタ２、６同士の嵌合がなされると、それぞれに内蔵する接続端子同士が連結し、電気的な接続がなされるようになっている。
【００１１】
図５はコネクタ２、６の嵌合状態の縦断面図であり、コネクタ２、６同士の間は、図示しない合成ゴム製のシール部材により合わせ目から水が浸入しないようにされ、更に各電線７ごとに相手側コネクタ６のハウジングとの間が図示しないシール部材により同様にシールされているため、相手側コネクタ６の外部からコネクタ２のハウジング内に水が浸入することはない。
【００１２】
なお、実施例では電線７の本数が多く、コネクタ２、６同士の嵌合、解除に大きな力を必要とするため、例えばコネクタ２の側面にはピン８が設けられ、相手側コネクタ６にはカム溝９を有し軸１０を中心に回動する回動レバー１１が設けられ、カム溝９にピン８を係止して、回動レバー１１の回動による両者のてこ作用によってコネクタ２、６同士を大きな力を要せずに嵌合、解離するようにしている。なお、回動レバー１１の先端には、コネクタ２に設けた固定錠止部１２に嵌合する錠止部１３が設けられている。
【００１３】
相手側コネクタ６の後方には、外面に補強用リブ１４ａを設けた合成樹脂製又は金属製の筒状プロテクタ１４が連結され、この筒状プロテクタ１４の相手側コネクタ６側の端部は、相手側コネクタ６の後部を覆うと共に嵌合する形状に形成され、相手側コネクタ６との間に合成ゴム製のシール部材１５が介在されており、相手側コネクタ６と筒状プロテクタ１４の間からの水の浸入が阻止されている。
【００１４】
相手側コネクタ６に連結された筒状プロテクタ１４と電線７を束ねた絶縁被覆１６間には、筒状プロテクタ１４の後方から、合成ゴムから成り筒状で内外面に断面波型を形成したフランジ付きのグロメット１７が挿入され、筒状プロテクタ１４内に水が浸入しない防水構造とされている。また、グロメット１７の後方の絶縁被覆１６上には、合成ゴム製の略円筒形で後部にテーパ面を有するブッシュング１８、ブッシュング１８のテーパ面に適合する環状形状の金属製スリーブ１９、金属製又は合成樹脂製のナット２０が挿着されている。
【００１５】
更に、相手側コネクタ６、筒状プロテクタ１４の外側に、合成樹脂製又は金属製の２つ割りの保護筒２１、２２が被着され、これらの保護筒２１、２２には互いに係止する係止部２１ａ、２１ｂ、２２ａ、２２ｂが設けられており、連結時には係止部２１ａ、２１ｂ、２２ａ、２２ｂにより相互に係止される。保護筒２１、２２の前端部は、筐体１に設けた枠部１ｂに嵌め込まれて筐体１に固定され、後端部に設けたねじ部２１ｃ、２２ｃにはブッシュング１８、スリーブ１９を介してナット２０が螺合されている。
【００１６】
組立時には、電線７に接続端子を接続してから、接続端子を相手側コネクタ６内に挿着する。続いて、筒状プロテクタ１４を相手側コネクタ６側に引き寄せ、筒状プロテクタ１４を相手側コネクタ６に連結してから、絶縁被覆１６と筒状プロテクタ１４の後部の隙間にグロメット１７を押し込み、筒状プロテクタ１４の内部を防水構造とする。
【００１７】
このようにして、予め組立てた相手側コネクタ６の組立体を、コネクタ２に回動レバー１１を用いてコネクタ２に引き寄せて嵌合し、回動レバー１１の錠止部１３をコネクタ２の固定錠止部１２に錠止し、コネクタ２、６が不時に外れないようにする。
【００１８】
更に、ブッシュング１８を筒状プロテクタ１４の端部に突き当て、スリーブ１９をブッシュング１８のテーパ面に当接する。続いて、２つ割りの保護筒２１、２２を相手側コネクタ６、筒状プロテクタ１４の周囲に上下方向から被着し、前端部を筐体１の枠部１ａに固定し、保護筒２１、２２を係止部２１ａ、２１ｂ、２２ａ、２２ｂを用いて一体に合体し、後端部のねじ部２１ｃ、２２ｃにナット２０を螺合して締め付ける。このナット２０の締め付けにより、スリーブ１９はブッシュング１８のテーパ面に当接し、ブッシュング１８を前方に押し込むことにより、絶縁被覆１６と保護筒２１、２２とが強固に連結される。
【００１９】
これにより、保護筒２１、２２によりコネクタ２、６に対する機械的な保護がなされると共に、絶縁被覆１６に捩れや伸縮が加わっても、これらの力の一部はブッシュング１８を介して保護筒２１、２２が受け、内部のコネクタ６に応力が加わることが少なくなる。
【００２０】
本実施例によれば、筐体１へのコネクタ２、３を固定、電線５による内部配線、更には相手側コネクタ６の組立を工場において行い、作業現場においては、コネクタ２に相手側コネクタ６を嵌合することにより、防水を伴う多数の配線の分岐、接続が容易に達成できる。
【００２１】
なお、上述の説明では１個の相手側コネクタ６について述べたが、他の２つのコネクタ２の少なくとも１つについて、同様に相手側コネクタ６が嵌合される。また回路検査チェック用コネクタ３には、必要に応じて検査用回路を接続した相手側の回路検査チェック用コネクタを接続し、検査が必要な回線の回路検査を行うことができる。
【図面の簡単な説明】
【００２２】
【図１】組立状態の斜視図である。
【図２】分解斜視図である。
【図３】筐体の斜視図である。
【図４】筐体の一部を切欠した斜視図である。
【図５】コネクタの嵌合状態の縦断面図である。
【符号の説明】
【００２３】
１  筐体
２、３、６  コネクタ
５、７  電線
１４  筒状プロテクタ
１６  絶縁被覆
１７  グロメット
１８  ブッシュング
２０  ナット
２１、２２  保護筒
【図１】
2007179931.tif 000003
【図２】
2007179931.tif 000004
【図３】
2007179931.tif 000005
【図４】
2007179931.tif 000006
【図５】
2007179931.tif 000007